(57)【要約】【課題】平行電極板に高電圧を印加して集塵する電気集塵機において、平行電極板ならびに前後に設置したフィルターの洗浄に使用する洗浄液を満遍なく、かつ少量にて噴霧することが可能となり、定期的または効率的に自動で洗浄できる電気集塵機の提供を目的とする。【解決手段】密閉手段としての電動ダンパー７，８を持ち、フィルター５、６と電気集塵ユニット部３との間に洗浄剤噴霧部４を設け、洗浄剤噴霧部４から洗浄液をミスト状に噴霧することで、平行電極板２およびフィルター５、６の全面に噴霧を実施することが可能となり、洗浄を確実に実施する。【選択図】図１
2009119316.tif 000002
【特許請求の範囲】
【請求項１】
平行電極板に荷電して空気中の粉塵を帯電させて集塵する電気集塵機において、平行電極板を供えた電気集塵部と、その電気集塵部の上流側、下流側にそれぞれ設けた第１、第２のフィルターと、その第１のフィルターの上流側と第２のフィルターの下流側にそれぞれ設けた第１、第２の閉鎖手段と、第１のフィルターと電気集塵部の間、および、第２のフィルターと電気集塵部の間に、電気集塵部と第１、第２のフィルターを洗浄する洗浄液噴霧部とを設け、洗浄時には前記第１、第２の閉鎖手段を閉鎖して電気集塵機内を閉鎖し、前記洗浄液噴霧部からミスト状の洗浄液を噴霧することを特徴とする電気集塵機。
【請求項２】
前記第１および第２の閉鎖手段間において、その下部にドレン板形状の底板を設け、この底板には排水口を設け、この排水口には、洗浄液を再利用する戻し配管と、洗浄液を廃棄する排出用配管を接続し、排水口からの排水経路を戻し配管と排出用配管とで切替える切替手段を備えた請求項１の電気集塵機。
【請求項３】
前記戻し配管に洗浄液の再生回収する回収手段を備えた請求項２に記載の電気集塵機。
【請求項４】
前記第１および第２閉鎖手段および底板で囲われた電気集塵機の内部の空気を、電気集塵機の外郭より排出する排出手段を備えた請求項１〜３に記載の電気集塵機。
【請求項５】
前記第１、第２のフィルターおよび第１、第２の閉鎖手段において、その底部の形状を前記底板側に傾斜をつけた構造とする請求項１の電気集塵機。
【請求項６】
前記第１、第２のフィルターの一辺にヒンジを備え、開閉できる構造とする請求項１〜５の電気集塵機。
【請求項７】
前記洗浄液噴霧部はフィルター平面と平行に平面移動することのできる移動手段を備えた請求項１〜６のいずれかに記載の電気集塵機。
【請求項８】
前記平面移動することのできる移動手段としてチェーン駆動または歯車またはエアシリンダー等を備えた請求項７に記載の電機集塵機。
【請求項９】
前記電気集塵部の密閉手段は電動または空気圧または油圧を用いたダンパーもしくはシャッターとする請求項１〜８のいずれかに記載の電気集塵機。
【請求項１０】
前記洗浄液には水、もしくは界面活性剤剤、溶剤系洗浄剤またはアルカリ性電解水を用いた請求項１〜９に記載の電気集塵機。
【請求項１１】
前記洗浄液噴霧部への洗浄液の供給経路となるノズル配管の切替手段、ならびに排水口からの排水経路を戻し配管と排出用配管とで切替える切替手段として空気式アクチュエータもしくは電動式アクチュエータを搭載したバルブまたは電磁弁を用いた請求項１〜１０のいずれかに記載の電気集塵機。
【発明の詳細な説明】
【技術分野】
【０００１】
本発明は、例えば切削加工現場における機械油によるオイルミストやダストの混在した塵埃を捕集する電気集塵機において、電気集塵部ならびに前後に設置したフィルターをミスト状の洗浄液にてそれぞれを洗浄できるように工夫した洗浄機能付き電気集塵機に関するものである。
【背景技術】
【０００２】
従来、この種の電気集塵機における集塵ユニットの平行電極板の洗浄方法は、洗浄水を噴霧することで電極板を洗浄する方法が知られている。（例えば、特許文献１参照）。
【０００３】
以下、その従来の電気集塵機の洗浄方法について図３〜４を参照しながら説明する。
【０００４】
図３は従来の電気集塵機の平行電極板洗浄システムの側面図である。図４は電気集塵機の平行電極板洗浄システムの正面図である。
【０００５】
図３に示すように、電気集塵機１００は電極板１０１を平行に重ねて並べた構造になっており電極板１０１の一枚一枚の全面をきれいに洗浄するのは空気の吹付けや洗浄液１０４や水の吹付けによる洗浄が一般的である。電極板１０１上部にノズル配管１０２を備えノズル１０３により洗浄液１０４や水を噴霧する。ノズル１０３は広範囲に噴霧できるように円錐形の噴霧領域を持つものが用いられるが、噴霧圧が小さくなり洗浄の効果が下がる。また、噴霧圧をあげるためには多量のノズル１０３を設置する必要があり、そのため使用する洗浄液１０４の量も多くなりコストがかかる。
【０００６】
また、従来の電気集塵機には、吸い込んでくる空気にごみ等の異物の侵入を防ぐためのフィルターを設置しており、その洗浄方法は水もしくは洗浄液を噴霧することでフィルター面を洗浄する方法が知られている（例えば、特許文献２参照）。
【０００７】
しかし、このような場合には、洗浄剤を噴霧した際、少量の噴霧であればフィルター全体に確実に行き渡らないことが考えられ、確実に洗浄剤をフィルター面に行き渡らせるには、大量の洗浄剤を使用するか、洗浄剤が確実にフィルター面に当たるようノズルをたくさん配置する必要があり、コスト増大の要因となる。
【特許文献１】特開２００４−１４８２９６号公報（図１，図２）
【特許文献２】実開平５−１８６２３号公報（図１（ａ）（ｂ））
【発明の開示】
【発明が解決しようとする課題】
【０００８】
このような従来の電気集塵機の洗浄方法では、通常のノズルより噴霧した洗浄剤は電極板に向かって噴霧されるが、ノズルからの噴霧には指向性があるためノズル先端から見て反対側に位置する極板には噴霧が直接行われない領域が発生することからノズルの噴霧領域を重ねてノズルを配置する。このため隣り合ったノズルを同時に噴霧すると干渉を起こし、うまく洗浄液が行き届かないといった課題があった。また、フィルターに貯まった粉塵の洗浄方法では、フィルターの目が粗くオイルミストなどのフィルターにこびりついた汚れを洗い流すには十分な洗浄効果が得られないといった課題があった。
【０００９】
そのため、洗浄作業による付着物の残留があると定期的なメンテナンスが必要となることから、確実な洗浄が自動で行える洗浄方法の確立が要求されている。
【００１０】
本発明は、このような従来の課題を解決するものであり、電気集塵機とフィルターの前後をダンパーで閉鎖し、電気集塵機とフィルターの間に洗浄手段を入れてミスト状の洗浄液を噴霧することにより洗浄動作を確実に行うものである。洗浄剤をミスト状とすることにより、噴霧したときに洗浄剤が浮遊し満遍なく密閉空間を充満することができる。そのためノズルの数を少なくできるとともに、その噴霧量も少量で実現することができる。これらの動作を自動制御することでメンテナンスフリーを実現することを目的とした電気集塵機を提供することを目的としている。
【課題を解決するための手段】
【００１１】
本発明の電気集塵機は上記目的を達成するために、平行電極板に荷電して空気中の粉塵を帯電させて集塵する電気集塵機において、平行電極板を供えた電気集塵ユニット部と、その電気集塵ユニット部の上流側、下流側にそれぞれ設けた第１、第２のフィルターと、その第１のフィルターの上流側と第２のフィルターの下流側にそれぞれ設けた第１、第２の閉鎖手段と、第１のフィルターと電気集塵ユニット部の間、および、第２のフィルターと電気集塵ユニット部の間に、電気集塵ユニット部と第１・第２のフィルターを洗浄する洗浄液噴霧部とを設け、洗浄時には前記第１、第２の閉鎖手段を閉鎖して電気集塵機内を閉鎖し、前記洗浄液噴霧部からミスト状の洗浄液を噴霧することを特徴とするものである。
【００１２】
これにより、洗浄剤噴霧時に閉鎖手段より電気集塵機とフィルターへ同時に洗浄剤がほぼ漏れないように噴霧することができる。また、ミスト状の洗浄液を噴霧することにより少量の洗浄液で密閉空間内を浸漬することができる。
【００１３】
また、他の手段は、前記第１および第２の閉鎖手段間において、その下部にドレン板形状の底板を設け、この底板には排水口を設け、この排水口には、洗浄液を再利用する戻し配管と、洗浄液を廃棄する排出用配管を接続し、排水口からの排水経路を戻し配管と排出用配管とで切替える切替手段を備えたものである。
【００１４】
これにより、電気集塵機より排出される洗浄液を再利用でき、最終的に廃棄する場合には排出用配管にて洗浄液を廃棄することができる。
【００１５】
また、他の手段は、戻し配管に洗浄液の再生回収する回収手段を備えたものである。
【００１６】
これにより、電気集塵機より排出される洗浄液と集塵した汚れを分離でき、洗浄液を再利用することができる。
【００１７】
また、他の手段は、第１および第２閉鎖手段および底板で囲われた電気集塵機の内部の空気を、電気集塵機の外郭より排出する排出手段を備えたものである。
【００１８】
これにより、密閉空間内から洗浄剤がもれた場合、排出手段により限定空間内へ内部の空気を排出することができる。
【００１９】
また、他の手段は、第１、第２のフィルターおよび第１、第２の閉鎖手段において、その底部の形状を前記底板側に傾斜をつけた構造とする。
【００２０】
これにより、フィルターおよび閉鎖手段の底部に洗浄液を溜めないようにすることができる。
【００２１】
また、他の手段は、第１、第２のフィルターの一辺にヒンジを備え、開閉できる構造とする。
【００２２】
これにより、洗浄部分ならびに電気集塵機を容易に点検することができる。
【００２３】
また、他の手段は、洗浄液噴霧部はフィルター平面と平行に平面移動することのできる移動手段を備えたものである。
【００２４】
これにより、洗浄液噴霧部の数を最小限にすることができ、洗浄液噴霧部までの配管径を小さくすることができる。
【００２５】
また、他の手段は、平面移動することのできる移動手段としてチェーン駆動または歯車またはエアシリンダー等を備えたものである。
【００２６】
これにより、洗浄液噴霧時に洗浄液噴霧部を遠隔操作かつ自動運転にて平面移動させることができる。
【００２７】
また、他の手段は、電気集塵部の密閉手段は電動または空気圧および油圧を用いたダンパーもしくはシャッターとするものである。
【００２８】
これにより、洗浄液噴霧時に電気集塵部を遠隔操作かつ自動運転にて密閉させることができる。
【００２９】
また、他の手段は、洗浄液に少なくとも界面活性剤剤、溶剤系洗浄剤またはアルカリ性電解水を用いたものである。
【００３０】
これにより、粘着性のある物質、たとえばオイルミストのような粘着性をもった物質においてもミスト噴霧により洗浄剤で集塵物質を効果的に分解し電極板から分離することができ、メンテナンスの回数を減らすことができる。
【００３１】
また、他の手段は、洗浄液噴霧部への洗浄液の供給経路となるノズル配管の切替手段として空気式アクチュエータもしくは電動式アクチュエータを搭載したバルブまたは電磁弁を用いたものである。
【００３２】
これにより、洗浄液噴霧時に電気集塵部を遠隔操作かつ自動運転にて密閉させることができる。
【発明の効果】
【００３３】
本発明によれば、電気集塵機の平行電極板ならびにフィルターに対して、洗浄に必要な洗浄剤を一度に大量に使用することなく効率よく浸漬することができ、かつ密閉空間からの漏れに対して排気することで最小限に抑えることができる。また、自動運転による定期的もしくはセンサーなどによる洗浄時期判断により効率的に洗浄することができる。また定期的に洗浄を実施することで、メンテナンスフリーとなり、メンテナンス費用の削減という効果を得ることができる。
【発明を実施するための最良の形態】
【００３４】
（実施の形態１）
図１は本発明の実施の形態１に示す電気集塵機１の側断面の概略図である。
【００３５】
図１に示すように、電気集塵機１は送風手段である送風機などにより、汚れを含んだ空気を図１の矢印の方向に送風し、電圧を印加した複数の平行電極板２により構成される電気集塵ユニット部３において空気中に含まれる汚れを集塵するものである。その前後面には洗浄剤噴霧部４を配置する。前面側の洗浄剤噴霧部４ａの前面と後面側の洗浄剤噴霧部４ｂの後面にはフィルター５および６が設置される。さらにその外側に閉鎖手段として例えば電動ダンパー７および８が設置されている。なお、ダンパーの駆動には空気圧または油圧を用いたものも考えられる。また、電動ダンパーの変わりにシャッターもしくは巻き取りカバーを使用しても良い。また、電気集塵機１下部には洗浄剤噴霧部４から噴霧された洗浄剤の余剰分を受けるためのドレン板９ならびに余剰分の洗浄剤を流すための排出配管１０が設置されている。また、電気集塵機１の一部に電気集塵機１内部の空気を排出するための排気配管１１が設置されている。
【００３６】
以上の構成により、本実施の形態の動作について説明する。粉塵、オイルミスト等を含んだ空気を電気集塵機１によって浄化すると、平行電極板２に汚れ成分が付着する。空気中の汚れが平行電極板２に付着して集塵効率が悪くなった場合、もしくはフィルター５、６に汚れ分が付着して目詰まりが生じた場合には、圧力損失が増大し、かつ、集塵効率が低下するため、定期的に平行電極板２ならびにフィルター５、６の洗浄剤の噴霧を実施する。
【００３７】
洗浄液の噴霧実施時は、まず、電動ダンパー７，８を閉じることで電気集塵機１を閉鎖する。その後、洗浄剤噴霧部４よりミスト状の洗浄液を噴霧し、平行電極板２ならびにフィルター５，６に付着した集塵物質を分離するものである。洗浄液の噴霧は洗浄液タンク１２に蓄えられており、例えばコンプレッサーにてエアーを供給することで洗浄液タンク１２より洗浄液を圧送することで洗浄剤噴霧部４よりミスト状に噴霧することが可能となる。ミスト状になった洗浄液はその質量が軽い故に、閉鎖空間内にて漂って充満し、洗浄液噴霧部より離れた狭い平行電極板２内およびフィルター５，６に洗浄液が付着する。また、噴霧されたミスト状の洗浄液によって閉鎖空間内で対流が発生し、満遍なく平行電極板２およびフィルターに効率よく付着させることができる。
【００３８】
噴霧の有無は洗浄液タンク１２にエアーを供給する経路に開閉手段として例えば電磁弁１３を設置することにより開閉を自動で行うことで実施することができる。また、電磁弁１３の前にレギュレータ１４を設置することで任意の圧力を設定することができるため、噴霧量の調整が可能となる。
【００３９】
また、噴霧された後に平行電極板２ならびにフィルター５、６に付着することなく重力落下した洗浄液は、電動ダンパー７，８ならびにフィルター５，６の傾斜した底板およびドレン板９により排出配管１０を通って排水もしくは洗浄液タンク１２に戻すことが可能である。このとき、排水する場合には排水側の経路に設置された例えば排水用電動ボール弁１５を開とし、洗浄液タンク側の経路に設置された例えば再生用電動ボール弁１６を閉とすることで洗浄液を排水することが可能となる。なお、電動ボール弁とは電動式アクチュエーターによって開閉するボール弁のことである。また、電動式アクチュエーターの代わりに空気式アクチュエーターを使用したボール弁、もしくは電磁弁を用いても良い。一方、洗浄液タンク１２に戻す場合には排水用電動ボール弁１５を閉とし、再生用電動ボール弁１６を開とすることで洗浄液を再利用することが可能となる。また、洗浄液タンク１２への配管経路には洗浄剤を再生するための例えば洗浄液再生フィルター１７を設置し、洗浄液タンク１２に戻すことで再利用が可能となる。
【００４０】
また、本発明では使用する洗浄液として、水もしくは界面活性剤、溶剤系洗浄剤、またはアルカリ洗浄剤に対応が可能である。液状の洗浄液であれば、洗浄剤噴霧部４によってミスト状にすることが可能であり、どの洗浄液であっても全体に行き渡らせることが可能である。特に、オイルミストなどのこびりついた汚れに対しては、界面活性剤、溶剤系洗剤、またはアルカリ洗浄剤を使用することにより、こびりついた汚れを付着した表面から剥離させることが可能となる。
【００４１】
また、使用する洗浄剤によっては人体もしくは生産設備、加工製品に著しく影響を与えることが考えられる。本発明では、ミスト状の洗浄液を電気集塵ユニット部３および電動ダンパー７，８にて閉鎖された空間に噴霧するため、閉鎖空間内の体積が増大し閉鎖空間の隙間からミストが漏れることから、電気集塵機１内の圧力を例えば圧力計を設置し、その値がプラス圧となったとき、電気集塵機１の外郭に内部の空気を例えばファンを使用して抜けるようにしておく。これにより、洗浄剤によって機外の人体もしくは設置物に影響を与えることなく洗浄を実施することができる。
【００４２】
また、フィルター５、６の一辺と電気集塵機１の面とをヒンジで接続することにより、フィルター５、６を開閉することができる。これにより洗浄剤噴霧部４が露出するため、洗浄剤噴霧部４が詰まったときのメンテナンスを容易に行うことが可能となる。また、フィルター５，６を開閉することにより、電気集塵ユニット部３が露出するため、電気集塵ユニット部３が故障したとき、電気集塵機１より容易に取り出すことが可能となる。
【００４３】
また、図２に示すように洗浄剤噴霧部４を設置する配管をチェーン２３に取り付け、駆動モータ２０によってスプロケット２２を回転させることで洗浄剤噴霧部４を平行移動させることができる。なお、平行移動にはチェーン駆動の代わりに歯車もしくはエアーシリンダーによるものも考えられる。これにより、洗浄剤の噴霧時に使用する洗浄剤噴霧部４の数を少なくすることが可能となり、配管全体の配管径を小さくすることができるだけでなく、洗浄剤噴霧部４を設置する配管を電気集塵ユニット部３へ通ずる通風路から遠ざけて停止することで、平行電極板２に均一な風を送ることが可能となり電気集塵ユニット部３の能力を安定させることができる。また、電気集塵ユニット部３の平行電極板２ならびにフィルター５，６に対して満遍なくミスト状の洗浄液を確実に噴霧することができ、かつ洗浄剤の使用量を少なくすることができ、メンテナンス費用の削減が可能となる。
【産業上の利用可能性】
【００４４】
平行電極板に高電圧を印加して集塵する電気集塵機に電極板を自動で洗浄する装置を設置し、定期的な洗浄動作を実施することでメンテナンスを省力化しコストダウンができるとするものである。粘着性のある集塵物質にも対応できるため塵や埃だけでなくオイルミストや焼却施設の煤塵処理、食堂等の飲食店の厨房などの油汚れの洗浄用途にも対応できる。
【図面の簡単な説明】
【００４５】
【図１】本発明の実施の形態１の電気集塵機１の側断面の概略図
【図２】本発明の実施の形態１の電気集塵機１の洗浄剤噴霧部移動手段概略図
【図３】従来の電気集塵機の平行電極板の洗浄システムの構成を示す図
【図４】従来の電気集塵機の平行電極板のワイパーによる洗浄システムの構成を示す図
【符号の説明】
【００４６】
１      電気集塵機
２      平行電極板
２−１  荷電部平行電極板
２−２  集じん部平行電極板
３      電気集塵ユニット部
４      洗浄剤噴霧部
５      フィルター
６      フィルター
７      電動ダンパー
８      電動ダンパー
９      ドレン板
１０    排出配管
１１    排気配管
１２    洗浄液タンク
１３    電磁弁
１４    レギュレータ
１５    排水用電動ボール弁
１６    再生用電動ボール弁
１７    洗浄液再生フィルター
【図１】
2009119316.tif 000003
【図２】
2009119316.tif 000004
【図３】
2009119316.tif 000005
【図４】
2009119316.tif 000006